(57)【要約】【課題】本発明は、抜け止め解除用操作レバーの浮き上がり状態の発生を防止し、抜け止め解除用操作レバーの損傷を回避し得る抜け止め解除用操作レバーの浮き上がり防止機能を備えるスライドレールを実現することを目的とする。【解決手段】このため、収納枠と収納ボックスとを連絡し、収納枠に対して収納ボックスを接離方向にスライド移動可能としたスライドレールにおいて、スライドレールを、枠側レール部と、枠側レール部に対してスライド移動自在なボックス側レール部とを有する構成とし、枠側レール部とボックス側レール部との間にこれらレール部の抜け止め手段を設け、ボックス側レール部に取り付けられる抜け止め解除用操作レバーを設け、抜け止め解除用操作レバーをボックス側レール部に取り付けた際に、抜け止め解除用操作レバーがボックス側レール部から離間する浮き上がり状態を防止する浮き上がり防止手段を設ける。【選択図】図１
2017184852.tif 000002
【特許請求の範囲】
【請求項１】
収納枠と収納ボックスとを連絡し、前記収納枠に対して収納ボックスを接離方向にスライド移動可能としたスライドレールにおいて、このスライドレールを、前記収納枠に連絡する枠側レール部と、前記収納ボックスに取り付けられるとともに前記枠側レール部に対してスライド移動自在に設けられるボックス側レール部とを有する構成とし、前記枠側レール部と前記ボックス側レール部との間にこれらレール部の抜け止めを果たす抜け止め手段を設ける一方、前記ボックス側レール部に回動自在に取り付けられる抜け止め解除用操作レバーを設け、この抜け止め解除用操作レバーを前記ボックス側レール部に取り付けた際に、抜け止め解除用操作レバーがボックス側レール部から離間する側に移動して発生する浮き上がり状態を防止する浮き上がり防止手段を設けたことを特徴とする抜け止め解除用操作レバーの浮き上がり防止機能を備えるスライドレール。
【請求項２】
前記浮き上がり防止手段は、前記ボックス側レール部に設けられ、前記抜け止め解除用操作レバーを前記ボックス側レール部側に押さえ込むボックス側の第１浮き上がり防止部と、この第１浮き上がり防止部に係合する操作レバー側の第２浮き上がり防止部とからなることを特徴とする請求項１に記載の抜け止め解除用操作レバーの浮き上がり防止機能を備えるスライドレール。
【発明の詳細な説明】
【技術分野】
【０００１】
この発明は抜け止め解除用操作レバーの浮き上がり防止機能を備えるスライドレールに係り、特にスライドレールに備えた浮き上がり防止機能によって抜け止め解除用操作レバーの浮き上がりを防止し、抜け止め解除用操作レバーの損傷回避を図る抜け止め解除用操作レバーの浮き上がり防止機能を備えるスライドレールに関するものである。
【背景技術】
【０００２】
書類を収納するための金属製書類収納箱、いわゆる収納ケースがある。
例えば、この収納ケースは、収納枠と収納ボックスとからなり、収納枠と収納ボックスとをスライドレールによって連絡し、収納枠に対して収納ボックスを接離方向にスライド移動可能とし、収納ボックス内から書類の取り出し、あるいは収納を容易化している。
【先行技術文献】
【特許文献】
【０００３】
【特許文献１】特許第３９０５７９４号公報
【発明の概要】
【発明が解決しようとする課題】
【０００４】
ところで、従来のスライドレールにおいては、収納枠に連絡する枠側レール部と、収納ボックスに取り付けられるとともに前記枠側レール部に対してスライド移動自在に設けられるボックス側レール部とを有している。
このとき、前記枠側レール部と前記ボックス側レール部との間にこれらのレール部の抜け止めを果たす抜け止め手段を設けている。
そして、この抜け止め手段による抜け止めを解除するために、抜け止め解除用操作レバーを設けている。
この抜け止め解除用操作レバーは、抜け止め解除を行うことにより、収納枠から収納ボックスを分離させることができ、収納ボックスを任意の箇所に搬送可能としている。
【０００５】
しかし、従来の抜け止め解除用操作レバーにおいては、衝撃や経年変化、取付作業などによって、抜け止め解除用操作レバーの一部、例えば先端側が、ボックス側レール部から離間する側に湾曲する変形が生じ、浮き上がり状態が発生する場合がある。
この浮き上がり状態が発生した際に、抜け止め解除用操作レバーによる抜け止め解除を行うために、ボックス側レール部をスライド移動させると、抜け止め解除用操作レバーの先端側が対峙するベアリング手段であるスライド用ボール受け部などの部材（「リテーナ」とも換言できる。）に乗り上げてしまい、更にボックス側レール部をスライド移動させると、抜け止め解除用操作レバーが損傷してしまうという不都合がある。
【０００６】
この発明は、スライドレールに備えた浮き上がり防止機能によって抜け止め解除用操作レバーの浮き上がり状態の発生を防止し、抜け止め解除用操作レバーの損傷を回避し得る抜け止め解除用操作レバーの浮き上がり防止機能を備えるスライドレールを実現することを目的とする。
【課題を解決するための手段】
【０００７】
そこで、この発明は、上述不都合を除去するために、収納枠と収納ボックスとを連絡し、前記収納枠に対して収納ボックスを接離方向にスライド移動可能としたスライドレールにおいて、このスライドレールを、前記収納枠に連絡する枠側レール部と、前記収納ボックスに取り付けられるとともに前記枠側レール部に対してスライド移動自在に設けられるボックス側レール部とを有する構成とし、前記枠側レール部と前記ボックス側レール部との間にこれらレール部の抜け止めを果たす抜け止め手段を設ける一方、前記ボックス側レール部に回動自在に取り付けられる抜け止め解除用操作レバーを設け、この抜け止め解除用操作レバーを前記ボックス側レール部に取り付けた際に、抜け止め解除用操作レバーがボックス側レール部から離間する側に移動して発生する浮き上がり状態を防止する浮き上がり防止手段を設けたことを特徴とする。
【発明の効果】
【０００８】
この発明によれば、スライドレールに備えた浮き上がり防止機能によって抜け止め解除用操作レバーの浮き上がり状態の発生を防止し、抜け止め解除用操作レバーの損傷を回避し得る。
【図面の簡単な説明】
【０００９】
【図１】図１はボックス側レール部に抜け止め解除用操作レバーを取り付けた際の概略説明図である。（実施例１）
【図２】図２はスライドレールの概略組付斜視図である。（実施例１）
【図３】図３は図１のＡ−Ａ線による拡大断面図である。（実施例１）
【図４】図４はボックス側レール部に抜け止め解除用操作レバーを取り付けた際の拡大断面図である。（実施例２）
【図５】図５はボックス側レール部に抜け止め解除用操作レバーを取り付けた際の概略説明図である。（実施例３）
【図６】図６はボックス側レール部に抜け止め解除用操作レバーを取り付けた際の浮き上がり防止手段部分を切断した状態を示す概略断面斜視図である。（実施例３）
【図７】図７はボックス側レール部に抜け止め解除用操作レバーを取り付けた際の浮き上がり防止手段部分を切断した状態を示す概略断面図である。（実施例３）
【図８】図８はボックス側レール部に抜け止め解除用操作レバーを取り付けた際のボックス側の第１浮き上がり防止部と操作レバー側の第２浮き上がり防止部との係合状態を示す概略拡大斜視図である。（実施例３）
【図９】図９は抜け止め解除用操作レバーを斜め下方から視た状態の斜視図である。（実施例３）
【図１０】図１０は抜け止め解除用操作レバーに設けられる操作レバー側の第２浮き上がり防止部を示す概略拡大斜視図である。（実施例３）
【図１１】図１１はボックス側レール部に抜け止め解除用操作レバーを取り付けた際の概略説明図である。（実施例４）
【図１２】図１２はボックス側レール部に抜け止め解除用操作レバーを取り付けた際の浮き上がり防止手段部分を切断した状態を示す概略断面斜視図である。（実施例４）
【図１３】図１３はボックス側レール部に抜け止め解除用操作レバーを取り付けた際の浮き上がり防止手段部分を切断した状態を示す概略断面図である。（実施例４）
【図１４】図１４は抜け止め解除用操作レバーを斜め上方から視た状態の斜視図である。（実施例４）
【図１５】図１５はボックス側の第１浮き上がり防止部を示す概略斜視図である。（実施例４）
【発明を実施するための形態】
【００１０】
以下図面に基づいてこの発明の実施例を詳細に説明する。
【実施例１】
【００１１】
図１〜図３はこの発明の実施例１を示すものである。
図２において、１は例えば金属製のスライドレールである。
このスライドレール１は、図示しない収納枠と図示しない収納ボックスとを連絡し、前記収納枠に対して収納ボックスを接離方向にスライド移動可能としている。
つまり、収納枠及び収納ボックスは、書類あるいはその他の物の収納に利用されるものであり、収納枠を金属製あるいは木製等の材料を使用して形成している。
このとき、前記収納枠の収納開口部位に対して、金属製あるいは木製等の材料を使用して形成した収納ボックスを挿脱する際に、収納ボックスのスライド移動を前記スライドレール１によって可能とするとともに、収納ボックスの脱落を防止するために後述する抜け止め手段５を設けている。
【００１２】
前記スライドレール１を、枠側レール部２と、ボックス側レール部３と、必要に応じて設けられるベアリング手段、例えばスライド用ボール受け部４とを有する構成とする。
そして、前記枠側レール部２は、前記収納枠に連絡し、且つ、前記スライドレール１の外側部位を構成している。
前記ボックス側レール部３は、前記収納ボックスに取り付けられるとともに、前記スライドレール１の内側部位を構成し、前記枠側レール部２に対してスライド移動自在に設ける。
前記スライド用ボール受け部４は、前記枠側レール部２とボックス側レール部３との間に配設され、ボックス側レール部３のスライド移動を円滑としている。
【００１３】
また、前記枠側レール部２とボックス側レール部３との間には、図２に示す如く、これらのレール部の抜け止めを果たす抜け止め手段５を設けるとともに、前記ボックス側レール部３に回動自在に取り付けられる抜け止め解除用操作レバー６を設ける。
【００１４】
前記抜け止め手段５を、前記枠側レール部２の一方、例えば図２において左下方の縁部２ａ側に取り付ける。
【００１５】
そして、前記抜け止め解除用操作レバー６を、図１に示す如く、前記ボックス側レール部３に回動軸７によって回動自在に取り付ける。
このとき、前記抜け止め解除用操作レバー６は、回動軸７側に位置する第１レバー部材６−１と、この第１レバー部材６−１から回動先端側に延びる第２レバー部材６−２と、前記第１レバー部材６−１及び第２レバー部材６−２を前記ボックス側レール部３の内側下縁部３ｂ側に押圧するように、前記第１レバー部材６−１から前記ボックス側レール部３の内側上縁部３ａ側に延びる付勢手段６−３とからなる。
なお、前記抜け止め解除用操作レバー６において、第１レバー部材６−１に設けた付勢手段６−３と反対側、つまり、図１において下側には、前記抜け止め手段５の抜け止め突起５ｔに係合し、前記枠側レール部２及びボックス側レール部３の抜け止めを果たす抜け止め用の段差部６−４を形成する。
前記抜け止め解除用操作レバー６を、合成樹脂や金属等の材料により平板状に一体的に形成する。
【００１６】
また、前記抜け止め解除用操作レバー６を前記ボックス側レール部３に取り付けた際に、抜け止め解除用操作レバー６がボックス側レール部３から離間する側に移動して発生する浮き上がり状態を防止する浮き上がり防止手段８を設ける構成とする。
詳述すれば、この浮き上がり防止手段８は、前記ボックス側レール部３に設けられ、前記抜け止め解除用操作レバー６を前記ボックス側レール部３側に押さえ込むボックス側の第１浮き上がり防止部９と、この第１浮き上がり防止部９に係合する操作レバー側の第２浮き上がり防止部１０とからなる。
【００１７】
このとき、前記ボックス側の第１浮き上がり防止部９は、図１及び図３に示す如く、立ち上がり部９−１と、浮き上がり防止用保持部９−２とを備えている。
前記立ち上がり部９−１は、前記ボックス側レール部３から離間する側に垂直に形成している。
前記浮き上がり防止用保持部９−２は、前記立ち上がり部９−１から前記ボックス側レール部３に対して平行、かつ、前記抜け止め解除用操作レバー６側に延びるように形成している。
なお、前記立ち上がり部９−１と前記浮き上がり防止用保持部９−２との厚み寸法においては、浮き上がり防止用保持部９−２部位を薄くして相違させる方策以外にも、同一の厚みを有する方策とすることも可能である。
そして、前記ボックス側の第１浮き上がり防止部９は、前記ボックス側レール部３に対して、溶接や接着剤などによって固着するように別体に形成することも可能であるが、この実施例１においては、前記ボックス側レール部３と一体的に形成した構成として説明する。
【００１８】
また、前記操作レバー側の第２浮き上がり防止部１０は、図３に示す如く、前記第１浮き上がり防止部９の浮き上がり防止用保持部９−２と係合した際に、形状が合致して面一状態となるように凹形状に形成する。
【００１９】
次に作用を説明する。
【００２０】
先ず、前記抜け止め解除用操作レバー６を前記ボックス側レール部３内に取り付ける際には、図１に示す如く、前記付勢手段６−３の付勢力に抗して、ボックス側レール部３の内側上縁部３ａと内側下縁部３ｂとの間に前記第１レバー部材６−１及び第２レバー部材６−２を取り付ける。
このとき、前記ボックス側の第１浮き上がり防止部９に前記操作レバー側の第２浮き上がり防止部１０を係合させる。
つまり、前記ボックス側の第１浮き上がり防止部９の浮き上がり防止用保持部９−２に凹形状の前記操作レバー側の第２浮き上がり防止部１０を係合させ、面一状態とする。
【００２１】
これにより、前記抜け止め解除用操作レバー６を前記ボックス側レール部３に取り付けた際に、前記浮き上がり防止手段８によって抜け止め解除用操作レバー６がボックス側レール部３から離間する側に移動して発生する浮き上がり状態を防止することができ、抜け止め解除用操作レバー６の損傷を回避し得る。
【００２２】
また、前記浮き上がり防止手段８を、ボックス側の第１浮き上がり防止部９と操作レバー側の第２浮き上がり防止部１０とにより構成し、前記ボックス側の第１浮き上がり防止部９が立ち上がり部９−１と浮き上がり防止用保持部９−２とを備える一方、前記操作レバー側の第２浮き上がり防止部１０を凹形状に形成したことにより、前記ボックス側の第１浮き上がり防止部９の浮き上がり防止用保持部９−２に凹形状の前記操作レバー側の第２浮き上がり防止部１０を係合させた際に形状が合致して面一状態となり、抜け止め解除用操作レバー６が損傷されることなく、前記ボックス側レール部３のスライド移動を円滑に維持することができる。
【実施例２】
【００２３】
図４はこの発明の実施例２を示すものである。
この実施例２において、上述実施例１のものと同一機能を果たす箇所には、同一符号を付して説明する。
【００２４】
この実施例２の特徴とするところは、上述実施例１のものと比較した際に、浮き上がり防止手段１１の形状を変更した点にある。
【００２５】
すなわち、前記浮き上がり防止手段１１は、前記ボックス側レール部３に設けられ、前記抜け止め解除用操作レバー６を前記ボックス側レール部３側に押さえ込むボックス側の第１浮き上がり防止部１２と、この第１浮き上がり防止部１２に係合する操作レバー側の第２浮き上がり防止部１３とからなる。
【００２６】
このとき、前記ボックス側の第１浮き上がり防止部１２は、図４に示す如く、前記ボックス側レール部３から離間する側に徐々に傾斜する斜面形状に形成する。
前記ボックス側の第１浮き上がり防止部１２は、前記ボックス側レール部３に対して、溶接や接着剤などによって固着するように別体に形成することも可能であるが、この実施例２においても、前記ボックス側レール部３と一体的に形成した構成として説明する。
【００２７】
また、前記操作レバー側の第２浮き上がり防止部１３は、図４に示す如く、前記第１浮き上がり防止部１２と係合した際に、この第１浮き上がり防止部１２の先端部位の突出がないように、形状の合致する凹状の斜面形状に形成する。
【００２８】
さすれば、前記浮き上がり防止手段１１を、ボックス側の第１浮き上がり防止部１２と操作レバー側の第２浮き上がり防止部１３とにより構成し、前記ボックス側の第１浮き上がり防止部１２を斜面形状に形成する一方、前記操作レバー側の第２浮き上がり防止部１３を凹状の斜面形状に形成したことにより、前記ボックス側の第１浮き上がり防止部１２に凹形状の前記操作レバー側の第２浮き上がり防止部１３を係合させた際に、この第１浮き上がり防止部１２の先端部位の突出がなく、抜け止め解除用操作レバー６が損傷されることなく、前記ボックス側レール部３のスライド移動を円滑に維持することができる。
【実施例３】
【００２９】
図５〜図１０はこの発明の実施例３を示すものである。
【００３０】
この実施例３の特徴とするところは、抜け止め解除用操作レバー６の浮き上がり状態を積極的に防止する形状に浮き上がり防止手段２１を形成した点にある。
【００３１】
すなわち、前記浮き上がり防止手段２１は、前記ボックス側レール部３に設けられ、前記抜け止め解除用操作レバー６を前記ボックス側レール部３側に押さえ込むボックス側の第１浮き上がり防止部２２と、この第１浮き上がり防止部２２に係合する操作レバー側の第２浮き上がり防止部２３とからなる。
【００３２】
このとき、前記ボックス側の第１浮き上がり防止部２２は、図８に示す如く、斜面部２２−１と、平坦部２２−２とからなる。
前記斜面部２２−１は、前記ボックス側レール部３から離間する側に、例えば３５度の角度で徐々に傾斜するように形成する。
前記平坦部２２−２は、前記斜面部２２−１の先端にツブシ加工によって形成する。
前記ボックス側の第１浮き上がり防止部２２は、前記ボックス側レール部３に対して、溶接や接着剤などによって固着するように別体に形成することも可能であるが、この実施例３においても、前記ボックス側レール部３と一体的に形成した構成として説明する。
【００３３】
また、前記操作レバー側の第２浮き上がり防止部２３は、図６〜図１０に示す如く、前記抜け止め解除用操作レバー６の下面から前記ボックス側レール部３に向かって突出しつつ、前記ボックス側の第１浮き上がり防止部２２側にも突出する凹状、かつ、例えば約３５度の斜面形状からなる。
【００３４】
さすれば、前記浮き上がり防止手段２１を、ボックス側の第１浮き上がり防止部２２と操作レバー側の第２浮き上がり防止部２３とにより構成し、前記ボックス側の第１浮き上がり防止部２２を斜面部２２−１と先端の平坦部２２−２とにより形成する一方、前記操作レバー側の第２浮き上がり防止部２３を前記ボックス側レール部３側及び前記ボックス側の第１浮き上がり防止部２２側にも突出する凹状の斜面形状に形成したことにより、前記ボックス側の第１浮き上がり防止部２２に凹形状の前記操作レバー側の第２浮き上がり防止部２３を係合させた際に、係合時のオーバラップ量を増大させることができ、前記抜け止め解除用操作レバー６の浮き上がり状態を積極的に防止することができるとともに、前記第１浮き上がり防止部２２の先端部位の突出が平坦部２２−２によって解消でき、抜け止め解除用操作レバー６が損傷されることなく、前記ボックス側レール部３のスライド移動を円滑に維持することができる。
【実施例４】
【００３５】
図１１〜図１５はこの発明の実施例４を示すものである。
【００３６】
この実施例４の特徴とするところは、浮き上がり防止手段３１を形成する際に、別体の部材からなり、かつ、ボックス側の第１浮き上がり防止部として機能する押さえピン３２と、この押さえピン３２に係合する前記抜け止め解除用操作レバー６に形成した第２浮き上がり防止部３３とからなる構成とした点にある。
【００３７】
すなわち、前記押さえピン３２は、図１１〜図１３及び図１５に示す如く、差し込み用軸部３２−１と、係合用軸部３２−２と、押さえ込み用平坦部３２−３とからなる。
前記差し込み用軸部３２−１は、前記ボックス側レール部３に形成した図示しない孔部に差し込んで係合する。
前記係合用軸部３２−２は、前記差し込み用軸部３２−１に連絡し、かつ、差し込み用軸部３２−１よりも大径に形成している。
前記押さえ込み用平坦部３２−３は、前記係合用軸部３２−２の端部に係合用軸部３２−２よりも大径に形成され、前記抜け止め解除用操作レバー６を前記ボックス側レール部３側に押さえ込む。
このとき、前記押さえピン３２の押さえ込み用平坦部３２−３には、前記ボックス側レール部３の内側上縁部３ａに接触して押さえピン３２の回動を阻止するために、直線上に切除した回り止め用切欠き部３２−４を有している。
【００３８】
また、前記第２浮き上がり防止部３３は、図１１〜図１３及び図１５に示す如く、段差部３３−１と、半円状の係合凹部３３−２とからなる。
前記段差部３３−１は、前記押さえピン３２の係合用軸部３２−２の長さ寸法に合致させるように、前記抜け止め解除用操作レバー６の一部を切除して形成している。
前記係合凹部３３−２は、前記段差部３３−１部位に前記押さえピン３２の係合用軸部３２−２を係合させるために形成している。
【００３９】
さすれば、前記浮き上がり防止手段３１を、別体の部材からなり、かつ、ボックス側の第１浮き上がり防止部として機能する押さえピン３２と抜け止め解除用操作レバー６に形成した第２浮き上がり防止部３３とにより構成し、前記押さえピン３２を差し込み用軸部３２−１と係合用軸部３２−２と押さえ込み用平坦部３２−３と回り止め用切欠き部３２−４とにより形成する一方、前記第２浮き上がり防止部３３を段差部３３−１と係合凹部３３−２とによって形成したことにより、前記抜け止め解除用操作レバー６を前記ボックス側レール部３に取り付けた後に、押さえピン３２の係合用軸部３２−２と前記第２浮き上がり防止部３３の係合凹部３３−２とを係合させた際に、前記押さえピン３２の押さえ込み用平坦部３２−３によって前記抜け止め解除用操作レバー６の浮き上がり状態を防止することができ、抜け止め解除用操作レバー６が損傷されることなく、前記ボックス側レール部３のスライド移動を円滑に維持することができる。
【００４０】
なお、この発明は上述実施例１〜４に限定されるものではなく、種々の応用改変が可能である。
【００４１】
例えば、この発明の実施例１においては、前記浮き上がり防止手段を、ボックス側の第１浮き上がり防止部と、この第１浮き上がり防止部に係合する操作レバー側の第２浮き上がり防止部とからなる構成としたが、ボックス側にのみ唯一の浮き上がり防止部を設ける特別構成とすることも可能である。
すなわち、前記ボックス側の浮き上がり防止部を形成する際に、硬質な金属板などの薄板部材によって強度を保持しつつ形成するものである。
さすれば、前記ボックス側の浮き上がり防止部に対応する操作レバー側に浮き上がり防止部を設けなくとも、突出量を抑えることができ、この突出量の僅かなボックス側の浮き上がり防止部によって前記抜け止め解除用操作レバーの浮き上がり状態を防止し、抜け止め解除用操作レバーが損傷されることなく、前記ボックス側レール部のスライド移動を円滑に維持することができるとともに、前記浮き上がり防止手段の構成の簡素化にも寄与し得る。
【符号の説明】
【００４２】
１  スライドレール
２  枠側レール部
２ａ  左下方の縁部
３  ボックス側レール部
３ａ  内側上縁部
３ｂ  内側下縁部
４  スライド用ボール受け部
５  抜け止め手段
５ｔ  抜け止め突起
６  抜け止め解除用操作レバー
６−１  第１レバー部材
６−２  第２レバー部材
６−３  付勢手段
６−４  抜け止め用の段差部
７  回動軸
８  浮き上がり防止手段
９  ボックス側の第１浮き上がり防止部
９−１  立ち上がり部
９−２  浮き上がり防止用保持部
１０  操作レバー側の第２浮き上がり防止部
【図１】
2017184852.tif 000003
【図２】
2017184852.tif 000004
【図３】
2017184852.tif 000005
【図４】
2017184852.tif 000006
【図５】
2017184852.tif 000007
【図６】
2017184852.tif 000008
【図７】
2017184852.tif 000009
【図８】
2017184852.tif 000010
【図９】
2017184852.tif 000011
【図１０】
2017184852.tif 000012
【図１１】
2017184852.tif 000013
【図１２】
2017184852.tif 000014
【図１３】
2017184852.tif 000015
【図１４】
2017184852.tif 000016
【図１５】
2017184852.tif 000017